(57)【要約】【課題】種々の器材を確実に使用者の頭部に装着可能なユニバーサルアタッチメントを提供する。【解決手段】ユニバーサルアタッチメント１は、平板形状の基部２の両端部に平面から垂直に設けられる一対の直立板３ａ，３ｂの間に移動板７を設けて構成される。直立板３ｂの平面に形成されて内面にネジが形成されているビス孔５と螺合する調整ビス６の軸の先端と接合されている移動板７は、調整ビス６の回転運動により往復移動して直立板３ａとで眼鏡フレーム１５を挟持する。そして、基部２の直立板３ａ，３ｂが設けられている面と反対の面から立ち上げて形成される支持板４は、器材を取り付けるための保持部１１を有する。【選択図】図１
2018109708.tif 000002
【特許請求の範囲】
【請求項１】
眼鏡フレームに着脱自在に取り付け可能なユニバーサルアタッチメントであって、
平板形状の基部と、
前記基部の両端部に平面から垂直に設けられる一対の直立板と、
一方の前記直立板の平面に形成されて内面にネジが形成されているビス孔と螺合する調整ビスと、
前記直立板の間に配置されて平面が前記調整ビスの軸の先端と接合されて、前記調整ビスの回転運動により前記直立板の間を往復移動する移動板と、
前記基部において一対の前記直立板が設けられている面と反対の面から立ち上げて形成される支持板と、
前記支持板に器材を取り付けるための保持部と、を備え、
前記調整ビスの締付により前記ビス孔が形成されていない前記直立板と前記移動板との間で前記眼鏡フレームを挟持することを特徴とする眼鏡用ユニバーサルアタッチメント。
【請求項２】
前記基部は平面に前記調整ビスの軸に沿った細長形状の摺動孔を有し、前記移動板は前記摺動孔に嵌合する突起部を有することを特徴とする請求項１に記載の眼鏡用ユニバーサルアタッチメント。
【請求項３】
前記ビス孔が形成されていない前記直立板と前記移動板の互いが対向する面にはラバーを備えることを特徴とする請求項１に記載の眼鏡用ユニバーサルアタッチメント。
【請求項４】
前記保持部は前記指示板の前記基部からの立ち上げ方向に沿って複数設けられて、前記器材は前記基部の平面からの距離に応じた何れかの前記保持部に取り付けられることを特徴とする請求項１乃至３の何れか一項に記載の眼鏡用ユニバーサルアタッチメント。
【発明の詳細な説明】
【技術分野】
【０００１】
本発明は、双眼ルーペや手術用の感染防護眼鏡等の医療現場で使用される医療用眼鏡のフレームへ器材を装着する際に用いられるユニバーサルアタッチメントに関する。
【背景技術】
【０００２】
従来から、医療現場での手術においては、施術者は必要に応じて、頭部に執刀箇所を照明するためのＬＥＤ照光装置や記録画像を撮るためのスチルカメラやビデオカメラによる撮像装置、或いは各種のセンサ等の器材を装着して処理を行わなければならないことがある。
【０００３】
このような器材を装着するには、例えば、特許文献１で示されているように、ヘッドバンドのような着用部材を介して頭部に装着するのが一般的である。この場合、器材は着用部材に固定されており、器材の種類ごとに着用部材を揃えておく必要がある。
【０００４】
また、特許文献２においては、クリップを用いてライト本体を使用者の胸ポケットや帽子の鍔等に装着可能なバッテリー内臓型の携帯用ＬＥＤライトが示されている。
【先行技術文献】
【特許文献】
【０００５】
【特許文献１】特開２００９−２９３１４６号公報
【特許文献２】特開２００６−１８５７５５号公報
【発明の概要】
【発明が解決しようとする課題】
【０００６】
特許文献２のようにクリップを用いれば手軽に器材を身体に装着できるため汎用性は高いが、クリップは外れやすく身体に保持する面では問題がある。例えば、いったん着用して手術に入れば、器材がクリップごと外れたり或いはクリップが動いて器材の位置が変化しても元の位置に戻すことはできない。
【０００７】
本発明は、上記課題に鑑みてなされたものであって、種々の器材を確実に使用者が着用する眼鏡のフレームに装着可能なユニバーサルアタッチメントを提供することを目的としている。
【課題を解決するための手段】
【０００８】
本発明は、上記課題を解決するために、眼鏡フレームに着脱自在に取り付け可能なユニバーサルアタッチメントであって、平板形状の基部と、前記基部の両端部に平面から垂直に設けられる一対の直立板と、一方の前記直立板の平面に形成されて内面にネジが形成されているビス孔と螺合する調整ビスと、前記直立板の間に配置されて平面が前記調整ビスの軸の先端と接合されて、前記調整ビスの回転運動により前記直立板の間を往復移動する移動板と、前記基部において一対の前記直立板が設けられている面と反対の面から立ち上げて形成される支持板と、前記支持板に器材を取り付けるための保持部と、を備え、前記調整ビスの締付により前記ビス孔が形成されていない前記直立板と前記移動板との間で前記眼鏡フレームを挟持する。
【０００９】
そして、前記基部は平面に前記調整ビスの軸に沿った細長形状の摺動孔を有し、前記移動板は前記摺動孔に嵌合する突起部を有することで、移動板の往復移動がスムーズとなり、眼鏡フレームへの装着が確実となる。このとき、前記ビス孔が形成されていない前記直立板と前記移動板の互いが対向する面にはラバーを備えれば更に確実な挟持が可能となる。
【００１０】
前記保持部は前記指示板の前記基部からの立ち上げ方向に沿って複数設けられて、前記器材は前記基部の平面からの距離に応じた何れかの前記保持部に取り付けられることで、基部の平面からの器材の取り付けの高さ位置を調整することができる。
【発明の効果】
【００１１】
本発明によるアタッチメントは、基部の平面の一方の面から垂直方向に設けた一対の板で眼鏡フレームを挟持して調整ビスで締め付けるため、眼鏡フレームと強固に接合できる。また、基部の平面から他方の面から立ち上げて形成した支持板で器材を保持するために、器材をバランスよく眼鏡フレームに装着することができる。そして、器材を取り付ける支持板を備えることで、種々の器材に対応できる汎用性を確保している。
【図面の簡単な説明】
【００１２】
【図１】本発明に係るアタッチメントの外観斜視図を示す。
【図２】図１のアタッチメントの側面図を示す。
【図３】図１のアタッチメントの上からの平面図を示す。
【図４】図１のアタッチメントの調整ビス側からの正面図を示す。
【図５】本発明に係るアタッチメントを用いて眼鏡フレームに照明装置を装着した状態の説明図を示す。
【図６】使用者が双眼ルーペを着用して作業体勢を執るときの状態を模式的に示す説明図を示す。
【図７】使用者が双眼ルーペを着用した状態を側面図で示す。
【図８】双眼ルーペにおけるルーペの内側装着角度の説明図を示す。
【図９】本発明に係るアタッチメントを用いて、手術時における使用者の頭の前傾角度を測定するためマーカーを眼鏡フレームに取り付けた状態の説明図を示す。
【図１０】本発明に係るアタッチメントを用いて、使用者の左右の瞳孔位置を測定するためのマーカーを眼鏡フレームの中心にマーカー取り付けたときの使用者の画像の模式図を示す。
【図１１】本発明に係るアタッチメントを用いて眼鏡フレームに器材を取り付ける変形例の説明図を示す。
【発明を実施するための形態】
【００１３】
本発明に係る眼鏡用ユニバーサルアタッチメントの最適な実施形態について、図面を参照しながら説明する。
【００１４】
図１乃至図４に示すように、眼鏡用ユニバーサルアタッチメント１（以下、アタッチメントと称す）は、平板形状の基部２を備えて、基部２はその両端部には平面から垂直に設けられる四角形の一対の直立板３ａ，３ｂを備えて、直立板３ｂと同じ端部には直立板３ｂとは逆方向に基部２の面から立ち上がる支持板４を備えている。基部２と直立板３ａ，３ｂと支持板４とは一体に樹脂成型により形成されており、よって直立板３ｂと支持板４とは連通して１枚の平板となっている。
【００１５】
そして、アタッチメント１は、直立板３ｂの平面中央に穿設されて内面にメネジが形成されているビス孔５と螺合する調整ビス６を備える。ビス孔５を貫通する調整ビス６の軸６ａの先端には、移動板７がその平面で結合されている。移動板７は、平面が直立板３ａ，３ｂの平面と相対するよう配置されて、調整ビス６がビス孔５との螺合で回転して行う直線運動により直立板３ａ，３ｂの間を往復移動する。
【００１６】
基部２には、調整ビス６の軸方向に沿って細長形状の一対の摺動孔８が形成されており、移動板７は、摺動孔８とそれぞれ嵌合して摺動する一対の突起部９を有している。よって、移動板７は、調整ビス６を回転させたとき、突起部９で摺動孔８にガイドされながら移動する。
【００１７】
移動板７は、調整ビス６の回転により直立板３ｂに向けて移動したとき、直立板３ｂとで医療用眼鏡のフレームを挟持することができる。したがって、移動板７の直立板３ａと相対する面の形状は同一形状で構成するのが好ましい。そして、移動板７と直立板３ｂとの互いの対向する面には、それぞれラバー１０が貼り付けられている。
【００１８】
支持板４は、基部２の平面から立ち上がる距離に応じて複数の保持部１１を備えている。保持部１１は、図示の例では一対の丸孔で構成されて、この丸孔に器材を支持板４に取り付けるためのビスをそれぞれ差し込みナットで閉め付けて、器材を固定する。
【００１９】
上記アタッチメント１を使用して医療用眼鏡のフレームに各種の器材の装着する例を説明する。図５は、手術時に患部を照射する照明装置１２を装着する場合を示している。医療用眼鏡は、視力矯正のためのレンズ１４が眼鏡フレーム１５に嵌め込まれたものであるが、照明装置１２を身体に装着する目的のために使用する素通しの医療用眼鏡の場合もある。そして、この医療用眼鏡には、フレーム１５の両眼フレーム部を差し渡すブリッジにアタッチメント１を装着しており、直立板３ａと移動板７とでブリッジを挟み込み調整ビス６を締付方向に回転させて、ブリッジを挟持することでアタッチメント１が眼鏡フレーム１５に取り付けられる。
【００２０】
そして、この場合、アタッチメント１の支持板４には、基部２の選択された平面からの高さ位置にある保持部１１に照明装置１２を装着するための固定具１６が取り付けられる。図示の例では、固定具１６は保持部１１の一対の丸孔に挿し込まれるビス１７を有してナット（図示せず）で締め付けることで固定具１６に固定されている。
【００２１】
照明装置１２は、光源部２０と、照光部２１と、一対の把持片を有する把持部２２と、複数のリンクをから成るリンク機構２３とで構成されている。光源部２０には、ＬＥＤを搭載してフレキシブルコード１３によって外部のバッテリーや制御信号線と接続されるＬＥＤ基板と、ヒートシンクと、冷却用のマイクロファンモータとが内蔵されている。そして、照光部２１は、鏡筒内にＬＥＤ基板のＬＥＤが発光する光を集めて外部に向けて照射するレンズユニットを配置して構成されている。
【００２２】
このような照明装置１２は、把持部２２で固定具１６の上下端を挟持して、ビス２２ａを締め付けることでアタッチメント１を介して眼鏡フレーム１５に取り付けることができる。そして、リンク機構部２３の各リンクを自由に動かすことで、照明装置１２は、眼鏡フレーム１５からの離反又は接近する前後方向や、上下方向に動かすことができる。手術時に用いられる光学的な器材としては、照明装置１２の他にもスチルカメラやビデオカメラがある。
【００２３】
また、アタッチメント１は、医療用眼鏡である双眼ルーペの作製において、眼鏡フレーム１５にルーペを取り付けるとき、使用者の瞳孔位置や作業時の姿勢を測定する際に用いられるマーカーの装着にも利用される。
【００２４】
施術者が双眼ルーペを着用して手術を行うときの体勢は、図６で示すように、前傾姿勢を執りながら手にしている器具の先端（作業操作箇所Ｐ）を凝視し、ルーペ２を通して作業操作箇所Ｐを拡大して観察している。よって、使用者の瞳孔間の間隔と共に、この姿勢に基づくルーペ２の取り付け角度を測定する必要がある。この取り付け角度は、眼鏡フレーム１５のレンズ１４（双眼ルーペはキャリアレンズと呼ばれる）の平面に対し、上下方向では、図７で示すように下方（フレームの下縁側）への傾斜角度（下方装着角度ｒ）であり、水平方向では、図８で示すように内側（ノーズパッド側）への中心線Ｌに対する傾斜角度（左右両眼の各内側装着角度ｐ及びｑ）である。
【００２５】
したがって、ルーペ２の取り付け角度を測定するには使用者の作業姿勢での前傾角度を測定する必要があり、図９に示すように、双眼ルーペを作製しようとする眼鏡フレーム１５の耳に掛ける直線の部分であるテンプル１５ａにアタッチメント１を介してマーカー１９を取り付けて、使用者に眼鏡フレーム１５を掛けて手術体勢を再現してもらったときのマーカー１９の傾きで前傾角度を測定する。このとき、マーカー１９は、図５に示す固定具１６と同様に、アタッチメント１の基部２の選択された平面からの高さ位置にある保持部１１の一対の丸孔に、ビス１７を挿し込みナット（図示せず）で締め付けて固定する。マーカー１９の傾き角度は、分度器により測定してもよいが、このときの撮影した画像を処理して前傾角度を検出することができる。
【００２６】
そして、この前傾角度に基づき下方装着角度ｒや内側装着角度ｐ，ｑは他の測定値との演算で求めることができるが、詳細な説明は特開２０１６―９９３７５公報を援用するためここでは省略する。
【００２７】
一方、使用者の瞳孔位置を測定するには、マーカー１９をその中心がブリッジの中心と一致するようアタッチメント１で取り付ける。この取り付けは、上述した照明装置１２を取り付ける際に用いた固定具１６に代えてマーカー１９を取り付ける。
【００２８】
図１０は、アタッチメント１によってマーカー１９が取り付けられた眼鏡フレーム１５を着用した使用者の正面からの画像ＩＭを模式的に示している。この画像ＩＭから周知の画像処理技術を応用して、マーカー１９の中心位置Ｃと左右の瞳孔位置Ｐ１，Ｐ２とを検出して、瞳孔位置Ｐ１，Ｐ２の中心位置Ｃからの座標位置を特定する。そして、レンズ１４のこの瞳孔位置Ｐ１，Ｐ２に対応する部分に挿入孔を刳り抜いて、測定した下方装着角度ｒや内側装着角度ｐ，ｑでレンズ１４に固定して取り付ける。
【００２９】
図１１は、器材をアタッチメント１の支持板４に補助部材２５を介して装着する例を示している。この例では、器材として超音波による距離センサ３０が装着されて、補助部材２５には垂直方向に複数の取付部２８が設けられている。取付部２８は、例えば、支持板４の保持部１１と同様に一対の丸孔で構成されており、両方の丸孔にビスを通してナットで締め付けられる。このような補助部材２５を用いることで、支持板４の高さ寸法から更に上方の高さ位置に距離センサ３０をセットすることができる。
【００３０】
補助部材２５の上端部には距離センサ３０の基端部３１を挟み込み支持する一対の保持片２９が設けられている。そして、基端部３１と保持片２９とはビス２６により回動自在に締付されて、距離センサ３０は、超音波を送信して反射波を受信する検出部を目標に対して自由に動かせるようになっている。
【００３１】
支持板４の基部２の平面からの距離を長くすれば器材をより高い位置にセットすることができるが、その場合、支持板４の強度が不安定となる。しかし、このような補助部材２５を用いることで、支持板４と補助部材２５とは平面が重なる部分が生じるため強度が確保される。
【００３２】
以上のごとく、本発明に係る眼鏡用ユニバーサルアタッチメント１は、基部１の下側の平面から垂直に配置されている直立板３ａと移動板７とで眼鏡フレーム１５を調整ビス６の締付で挟持して、基部１の上側の平面から立ち上げた支持板４の保持部１１に器材を取り付けるため、器材がバランスよく眼鏡フレームに装着される。
【符号の説明】
【００３３】
１      眼鏡用ユニバーサルアタッチメント
２      基部
３ａ，３ｂ      直立板
４      支持板
５      ビス孔
６      調整ビス
７      移動板
８      摺動孔
１０    ラバー
１１    保持部
１２    照明装置
【図１】
2018109708.tif 000003
【図２】
2018109708.tif 000004
【図３】
2018109708.tif 000005
【図４】
2018109708.tif 000006
【図５】
2018109708.tif 000007
【図６】
2018109708.tif 000008
【図７】
2018109708.tif 000009
【図８】
2018109708.tif 000010
【図９】
2018109708.tif 000011
【図１０】
2018109708.tif 000012
【図１１】
2018109708.tif 000013
【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
眼鏡フレームに着脱自在に取り付け可能なユニバーサルアタッチメントであって、
平板形状の基部と、
前記基部の両端部に平面から垂直に設けられる一対の直立板と、
一方の前記直立板の平面に形成されて内面にネジが形成されているビス孔と螺合する調整ビスと、
前記直立板の間に配置されて平面が前記調整ビスの軸の先端と接合されて、前記調整ビスの回転運動により前記直立板の間を往復移動する移動板と、
前記基部において一対の前記直立板が設けられている面と反対の面から立ち上げて形成される支持板と、
前記支持板に器材を取り付けるための保持部と、を備え、
前記調整ビスの締付により前記ビス孔が形成されていない前記直立板と前記移動板との間で前記眼鏡フレームを挟持し、
前記基部は平面に前記調整ビスの軸に沿った細長形状の摺動孔を有し、前記移動板は前記摺動孔に嵌合する突起部を有する、
ことを特徴とする眼鏡用ユニバーサルアタッチメント。
【請求項２】
前記ビス孔が形成されていない前記直立板と前記移動板の互いが対向する面にはラバーを備えることを特徴とする請求項１に記載の眼鏡用ユニバーサルアタッチメント。
【請求項３】
前記保持部は前記支持板の前記基部からの立ち上げ方向に沿って複数設けられて、前記器材は前記基部の平面からの距離に応じた何れかの前記保持部に取り付けられることを特徴とする請求項１又は２に記載の眼鏡用ユニバーサルアタッチメント。
【手続補正２】
【補正対象書類名】明細書
【補正対象項目名】００１０
【補正方法】変更
【補正の内容】
【００１０】
ここで、前記保持部は前記支持板の前記基部からの立ち上げ方向に沿って複数設けられて、前記器材は前記基部の平面からの距離に応じた何れかの前記保持部に取り付けられることで、基部の平面からの基材の取り付けの高さ位置を調整することができる。